(57)【要約】【課題】スナッピーをストレイナー装置に対してボルトを用いずにワンタッチで取付けることができ、スナッピーの取付け、取外し作業の容易性および装置自体の取扱性を向上させる。【解決手段】ドラム１の胴本体２の外周面に固定される固定ベース１５に上下動自在な移動ベース１６を取付け、この移動ベース１６に支持部材３３を固定する。  スナッピー７の一端側に設けられている連結部材１３Ａを挾持する第１、第２の挾持部材３１，３２を締付けボルト３５によって締結する。これらの挾持部材３１，３２は、支持部材３３の支持用溝４１に挿入され、永久磁石４５の吸引力によって支持用溝４１内に固定されることにより、支持用溝４１からの脱落が防止される。【選択図】  図１
2008129070.tif 000002
【特許請求の範囲】
【請求項１】
スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、
前記第１、第２のストレイナーのうちの少なくともいずれかの挾持部材を永久磁石の吸引力によって前記支持部材に固定したことを特徴とするストレイナー装置。
【請求項２】
請求項１記載のストレイナー装置において、
前記挟持部材および前記支持部材のうちいずれか一方の部材を磁性材料によって形成し、他方の部材に永久磁石を設けたことを特徴とするストレイナー装置。
【請求項３】
請求項１記載のストレイナー装置において、
前記挟持部材および前記支持部材のうちのいずれか一方の部材を磁性材料によって形成し、他方の部材を永久磁石で構成したことを特徴とするストレイナー装置。
【請求項４】
スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、
前記第１、第２のストレイナーのうちの少なくともいずれか一方の挾持部材を弾性変形自在な係合片によって前記支持部材に着脱可能に固定したことを特徴とするストレイナー装置。
【請求項５】
スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、
前記第１、第２のストレイナーのうちの少なくともいずれか一方の挾持部材を係合凹部と係合突部との係合によって前記支持部材に着脱可能に固定したことを特徴とするストレイナー装置。
【発明の詳細な説明】
【技術分野】
【０００１】
本発明は、スナッピーをドラムヘッドに対して選択的に接触離間させるストレイナー装置に関するものである。
【背景技術】
【０００２】
スネアードラムは、複数本の細い響線で構成されたスナッピーをストレイナー装置によって非打面側、すなわち裏面側ドラムヘッドまたは打面側（表面側）ドラムヘッドと裏面側ドラムヘッドの双方に対して選択的に接触離間させることにより、ドラムヘッドの振動を響線に伝えて楽器に特有なパラパラという軽快な音色をもたらす、いわゆるタブリング効果と称する特殊音響効果を得るようにしている（例えば、特許文献１〜４参照）。
【０００３】
図５は裏面側のドラムヘッドに対してスナッピーを装着した従来のスネアードラムを示す外観斜視図、図６はスナッピーのストレイナー装置に対する取付構造を示す分解斜視図である。これらの図において、１はスネアドラム、２は両端が開放した円筒状の胴本体、３は胴本体２の裏面側開口部を覆う裏面側ドラムヘッド、４は胴本体２の各開口端部に嵌装されたフープ（締枠）、５はラグ、６はフープ４とラグ５を連結する締めボルト、７は裏面側ドラムヘッド３に対して取付けられるスナッピー、８はスナッピー７の可動側端部７Ａを保持する第１のストレイナー、９はスナッピー７の固定側端部７Ｂを保持する第２のストレイナーであり、これらのストレイナー８，９によってスナッピー７のストレイナー装置を構成している。
【０００４】
前記スナッピー７は、長手方向と直交する方向に所定の間隔を保って並設された複数本の細い響線１１と、これら響線１１の各端部がそれぞれ半田付けによって固定された左右一対のスナッピープレート１２Ａ，１２Ｂと、各スナッピープレート１２Ａ，１２Ｂにそれぞれ取付けられた可撓性を有する連結部材１３Ａ，１３Ｂ（１３Ｂは図示せず）とで構成されている。連結部材１３Ａ（１３Ｂも同様）は、２個の挾持部材（以下、第１、第２の挾持部材という）１４Ａ，１４Ｂによって挟持されており、これらの挾持部材１４Ａ，１４Ｂが前記第１のストレイナー８に着脱可能に連結されている。
【０００５】
前記第１のストレイナー８は、前記スナッピー７の一端部（可動側端部）７Ａを裏面側ドラムヘッド３に対して選択的に接触離間させるもので、前記一対の挾持部材１４Ａ，１４Ｂと、胴本体２の外周に固定された固定ベース１５と、この固定ベース１５に対して図６の矢印Ａ、Ｂで示す上下方向、言い換えればスナッピー７がドラムヘッド３に対して接近離間する方向に移動自在に取付けられた移動ベース１６と、切替レバー１７Ａの操作によって前記移動ベース１６を前記固定ベース１５に対して上下移動させ前記スナッピー７の可動側端部７Ａを裏面側ドラムヘッド３に対して接触または離間させるスイッチ機構１７と、前記移動ベース１６を同じく前記固定ベース１５に対して上下移動させ前記スナッピー７の張力を調節する張力調節用ねじ１８とで構成されている。前記一対の挟持部材１４Ａ，１４Ｂは、前記連結部材１３Ａを挟持した状態で移動ベース１６の下端部に２本の締付け角ボルト１９により共締め固定されている。
【０００６】
一方、前記第２のストレイナー９は、前記第１のストレイナー８とは異なりスナッピー７の他端部（固定側端部）７Ｂを裏面側ドラムヘッド３に対して接触離間させる機構とスナッピーの張力を調節する手段を備えていないため、胴本体２に固定された固定ベースと、前記スナッピー７の固定側端部７Ｂに設けられている連結部材を挟持する一対の挾持部材とで構成されている。
【０００７】
このような第１、第２のストレイナー８，９からなるストレイナー装置を備えたスネアドラム１において、スナッピー７を使用しないで演奏するときは、スイッチ機構１７の切替レバー１７Ａを手で所定角度回動させる。切替レバー１７Ａが回動すると、移動ベース１６は、固定ベース１５に沿って下降し、スナッピー７の可動側端部７Ａを引き下げ、スナッピー７を緊張状態から解放する。このため、スナッピー７は自重によって垂れ下がって裏面側ドラムヘッド３から離間し、もってスネアドラム３がスナッピー７を使用しない演奏状態に切り替えられる。
【０００８】
このような状態から切替レバー１７Ａを上記とは反対方向に所定角度回動させて元の位置に復帰させると、移動ベース１６は元の高さ位置に引き上げられてスナッピー７を緊張させ、裏面側ドラムヘッド３に接触させる。したがって、スネアドラム１はスナッピー７を使用しない演奏状態からスナッピーを使用する演奏状態に切り替えられる。この接触状態で表面側ドラムヘッドを打撃すると、その振動が裏面側ドラムヘッド３を介して響線１１に伝達されるため、響線１１も振動して楽器に特有なパラパラという軽快な音色の特殊音響効果が得られる。
【０００９】
裏面側ドラムヘッド３を他のドラムヘッドと交換する際には、先ず締付けボルト１９を緩めてスナッピー７をストレイナー装置から外す。そして、締めボルト６をラグ５から外してフープ４を胴本体２から外し、裏面側ドラムヘッド３を別のドラムヘッドと交換する。裏面側ドラムヘッドの交換が終了すると、再度スナッピー７を上記とは反対の手順でストレイナー装置に装着する。
【００１０】
【特許文献１】実公昭５８−５０３７２号公報
【特許文献２】米国特許明細書第６００８４４５号
【特許文献３】米国特許明細書第５８４４１５７号
【特許文献４】特開２００５−２０２０６３号公報
【発明の開示】
【発明が解決しようとする課題】
【００１１】
しかしながら、上記した従来の第１のストレイナー８（第２のストレイナー９も同様）に対するスナッピー７の取付構造は、スナッピー７の各端部に連繋されている連結部材１３Ａを一対の挟持部材１４Ａ，１４Ｂによって挟持し、これら挟持部材１４Ａ，１４Ｂを２本の締付け角ボルト１９によって移動ベース１６（第２のストレイナー９の場合は固定ベース）の下端部に、ドラムキー、スパナ等の工具を用いて共締め固定している。このため、スナッピー７を他の種類のスナッピーと交換したり、あるいは裏面側ドラムヘッド３を別のドラムヘッドと交換するとき、２本のボルト１９を緩めてスナッピー７をストレイナー装置から外さないと交換することができず、また、交換後は再び連結部材１３Ａを一対の挟持部材１４Ａ，１４Ｂによって挟持し、これら挟持部材１４Ａ，１４Ｂを２本の締付け角ボルト１９によって移動ベース１６に固定しなければならないため、その作業が煩わしいという問題があった。
【００１２】
また、連結部材１３Ａを一対の挟持部材１４Ａ，１４Ｂによって再度挟持したとき、挟持部材１４Ａ，１４Ｂによる連結部材１３Ａの挾持位置が変わると、張力調節用ねじ１８によってスナッピー７の張力を再調節する必要が生じ、裏面側ドラムヘッド３の交換作業に長時間を要するという問題もあった。
【００１３】
そこで、このような問題を解決するために、例えば前記特許文献４に記載されているストレイナー装置は、１本のボルトによって第１の挾持部材を移動ベースに固定するようにしている。このようなストレイナー装置によれば、挾持部材の移動ベースに対する取付けを１本のボルトで行えるため、上記した従来装置に比べてスナッピーの取付け、取外し作業の時間を短縮することができるという利点がある。
【００１４】
また、第１、第２の挾持部材によって連結部材を挾持した状態のままで第１、第２の挾持部材を移動ベースから取り外すことができるようにしているため、裏面側ドラムヘッドの交換時等に連結部材を第１、第２の挾持部材から外す必要もなく、スナッピーの張力の再調整が不要である。
【００１５】
しかしながら、引用文献４に記載されているストレイナー装置は、依然としてボルトを用いているため、その締結、取外し作業が煩わしいという点では図５および図６に示した従来装置と五十歩百歩であり、さらなるスナッピーの交換作業の容易性、ないしストレイナー装置の取扱性の改善が要請されている。
【００１６】
本発明は上記した従来の問題を解決するためになされたもので、その目的とするところは、スナッピーをストレイナー装置に対してボルトを用いずにワンタッチで取付けることができ、スナッピーの取付け、取外し作業の容易性および装置自体の取扱性を向上させたストレイナー装置を提供することにある。
【課題を解決するための手段】
【００１７】
上記目的を達成するために第１の発明は、スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、前記第１、第２のストレイナーのうちの少なくともいずれかの挾持部材を永久磁石の吸引力によって前記支持部材に固定したものである。
【００１８】
第２の発明は、前記挟持部材および前記支持部材のうちいずれか一方の部材を磁性材料によって形成し、他方の部材に永久磁石を設けたものである。
【００１９】
第３の発明は、前記挟持部材および前記支持部材のうちのいずれか一方の部材を磁性材料によって形成し、他方の部材を永久磁石で構成したものである。
【００２０】
第４の発明は、スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、前記第１、第２のストレイナーのうちの少なくともいずれか一方の挾持部材を弾性変形自在な係合片によって前記支持部材に着脱可能に固定したものである。
【００２１】
第５の発明は、スナッピーの各端部に設けられている可撓性を有する連結部材を挟持する２個の挾持部材と、これらの挾持部材を支持する支持部材をそれぞれ備えてドラムの胴本体の外周面の互いに対向する位置に取付けられ、前記スナッピーをドラムヘッドに対して選択的に接触離間させる第１、第２のストレイナーとで構成されるストレイナー装置において、前記第１、第２のストレイナーのうちの少なくともいずれか一方の挾持部材を係合凹部と係合突部との係合によって前記支持部材に着脱可能に固定したものである。
【発明の効果】
【００２２】
本発明においては、２個の挾持部材を永久磁石、係合片または係合凹部と係合突部によって支持部材に固定するようにしているので、ボルトやスパナ等の工具を一切必要とせず、第１、第２の挾持部材をワンタッチで着脱することができ、スナッピーや裏面側ドラムヘッドの交換作業の容易性および装置の取扱性を向上させることができる。
【００２３】
磁性材料としては、比透磁率（μs ）が１より非常に大きい強磁性体を用いることが望ましい。強磁性体としては、例えば鉄（μs ＝１００〜１００００）、ニッケル（μs ＝１８０）、コバルト（μs ＝２７０）、マンガン（μs ＝４０００）や、これらの化合物が用いられる。
【発明を実施するための最良の形態】
【００２４】
以下、本発明を図面に示す実施の形態に基づいて詳細に説明する。
図１は本発明に係るストレイナー装置の第１の実施の形態を示す断面図、図２は第１のストレイナーの分解斜視図である。なお、図５および図６に示した構成部品と同一のものについては、同一符号をもって示し、その説明を適宜省略する。
【００２５】
これらの図において、参照符号１はスネアドラム、２０はスナッピー７を裏面側ドラムヘッド３に対して選択的に接触離間させるストレイナー装置で、このストレイナー装置２０は、スネアドラム１の胴本体２の外周面で裏面側ドラムヘッド３側の開口部付近に互いに対向するように周方向に１８０°離間して設けられた第１、第２のストレイナー２１，２２を備えている。
【００２６】
前記スナッピー７は、図５および図６に示した従来のスナッピー７と同一構造であって、長手方向と直交する方向に所定の間隔をおいて並設された複数本の細い響線１１と、これら響線１１の各端部がそれぞれ半田付けによって固定された左右一対のスナッピープレート１２Ａ，１２Ｂと、各スナッピープレート１２Ａ，１２Ｂにそれぞれ取付けられた可撓性を有する連結部材１３Ａ，１３Ｂとで構成されている。各連結部材１３Ａ，１３Ｂは、適宜な長さを有する細い紐やテープからなり、長手方向中央部ａがスナッピープレート１２Ａ，１２Ｂの各端部にそれぞれ形成した２つの挿通孔２３に挿通されて連結されている。このようなスナッピー７は、裏面側ドラムヘッド３の表面に中心を通るように径方向に張設されて各スナッピープレート１２Ａ，１２Ｂがドラムヘッド３の表面外周縁部にそれぞれ接触し、各連結部材１３Ａ，１３Ｂが締め枠４に設けた開口部２７を通って上方に導かれ、前記第１、第２のストレイナー２１，２２にそれぞれ連結されている。
【００２７】
前記第１のストレイナー２１は、スナッピー７の可動側端部７Ａを裏面側ドラムヘッド３に対して選択的に接触または離間させるもので、前記胴本体２に複数個のボルト２４とナット（図示せず）によって固定された固定ベース１５を備えている。
【００２８】
前記固定ベース１５は、合成樹脂等によって内部が空洞の直方体に形成され、胴本体２の外周面に密接する背面２５ａに前記ボルト２４が螺合するナット（図示せず）が埋設されている。前記ボルト２４は、胴本体２に設けた取付孔２５を内側から貫通して前記固定ベース１５の背面１５ａに埋設されている前記ナットに螺合することにより、固定ベース１５を胴本体２の外周面に固定している。固定ベース１５の前面１５ｂは、移動ベース１６の摺動面を形成しており、下端部寄り（裏面側ドラムヘッド３側）には段差部２９が形成されている。この段差部２９は、前記移動ベース１６の上方への移動を制限する傾斜したストッパ面２９ａと、移動ベース１６の下端部を案内する摺動面２９ｂとで構成されている。摺動面２９ｂは、固定ベース１５の前面１５ｂと平行でこれより一段低い面を形成している。このため、固定ベース１５の下端部は、上端部より薄肉に形成されている。
【００２９】
前記移動ベース１６は、金属製のプレートからなり、下端部に前記固定ベース１５の段差部２９と側面視同形状をなす略Ｌ字形の折曲部１６Ａが一体に設けられており、前記固定ベース１５の内部においてスイッチ機構１７と張力調節用ねじ１８に連結されている。
【００３０】
前記スイッチ機構１７は、スナッピー７を裏面側ドラムヘッド３に対して接触または離間させる際に、移動ベース１６を固定ベース１５の前面２５ｂに沿って上下方向、すなわち前記スナッピー７を裏面側ドラムヘッド３に対して接近離間させる方向（矢印Ａ、Ｂ方向）に直線移動させるための機構である。このようなスイッチ機構１７としては、移動ベース１６を上下方向に直線移動または回動させる従来周知の機構であればどのようなものであってもよく、例えば図示を省略したカムもしくはリンクと、切替レバーが用いられる。この場合、本実施の形態においては、上記した特許文献４に記載されているスイッチ機構１７と全く同一構造からなるスイッチ機構、すなわちリンクと切替レバー１７Ａからなるスイッチ機構を用いているため、これ以上の詳細な説明および図示を省略する。
【００３１】
張力調節用ねじ１８は、同じく前記特許文献４に記載されている張力調節用ねじ１８と同一構造であって、固定ベース１５の上面側に回転自在に取付けられており、このねじ１８を手で回転操作して、ねじ１８に螺合しているナット（図示せず）を上昇または下降させ前記移動ベース１６を押圧することにより、移動ベース１６を上昇または下降させるように構成されている。
【００３２】
前記第１のストレイナー２１は、前記固定ベース１５、切替レバー１７Ａを含むスイッチ機構１７および移動ベース１６に加えて、さらに前記スナッピー７の可動側端７Ａ側に連繋されている前記連結部材１３Ａの端部を挟持する第１、第２の挟持部材３１，３２と、これらの挾持部材３１，３２を支持する支持部材３３を備えている。
【００３３】
前記第１の挾持部材３１は、アルミニウム等の金属によって前、後面３１ａ，３１ｂが平坦な細長い金属板からなり、長手方向の両端面に前記支持部材３３によって支持される被支持部３４がそれぞれ一体に設けられている。この被支持部３４は、第１の支持部材３１より幅が小さい矩形の突起で構成されている。また、第１の支持部材３１の両端部付近には、締付けボルト３５が挿通されるボルト用取付孔３６がそれぞれ形成されている。
【００３４】
前記第２の挾持部材３２は、断面形状がＤ字形の棒状体に形成することにより、前面３２ａが平坦面で前記第１の挾持部材３１の後面３１ｂとともに前記連結部材１３Ａの各端部ｂ，ｃを挟持する挾持面を形成し、後面３２ｂが円弧面に形成されている。また、第２の挾持部材３２は、前記第１の挾持部材３０と同一長さで、両端には被支持部３７がそれぞれ一体に突設されている。これらの被支持部３７は、前記第１の挾持部材３１の被支持部３４と同一の大きさからなる矩形の突起で構成されている。さらに、第２の挾持部材３１の両端部寄りには、前記締付けボルト３５がねじ込まれるねじ孔３８がそれぞれ形成されている。
【００３５】
このような第２の挾持部材３２は、磁性材料、好ましくは比透磁率（μs ）が１より非常に大きい強磁性材料（強磁性体）によって形成されている。強磁性体としては、最も手近にしかも安価に入手することができる鉄が用いられるが、ニッケル、マンガン、コバルトや、これらの化合物であってもよい。
【００３６】
前記連結部材１３Ａの各端部ｂ，ｃは、第２の挾持部材３２の後方下方から上方に導かれて後面３２ｂに添接され、上縁で折り返されることにより前面３２ａに沿って下方に導かれる。そして、２本の締付けボルト３５を第１の挾持部材３０の各ボルト用取付孔３６に前方から挿通して第２の挾持部材３１のねじ孔３８にねじ込んで第１、第２の挾持部材３１，３２を締結することにより、連結部材１３Ａの各端部ｂ，ｃが第１、第２の挾持部材３１，３２によって挾持される。第１、第２の挾持部材３１，３２を締付けボルト３５によって締結すると、被支持部３４と３７は互いに重なり合う。
【００３７】
前記支持部材３３は、アルミニウム等の成形品からなり、細長い板状の基部３３Ａと、この基部３３Ａの両端にそれぞれ一体に設けられた左右一対の支持部３３Ｂとで構成されている。基部３３Ａは、前記移動ベース１６の折曲部１６Ａの前面に２本の止めねじ４０によって固定されている。各支持部３３Ｂは、側面視横向きのＵ字状に形成することにより胴本体２とは反対方向に開放する矩形の支持用溝４１を有している。この支持用溝４１は、前記第１、第２の挾持部材３１，３２の被支持部３４，３７の幅より若干大きな溝幅と、重なり合った被支持部３４と３７の厚さと略等しい奥行きを有し、また、支持用溝４１の奥壁には永久磁石４５が固定されている。永久磁石４５は、円盤状に形成されて両面がＮ極とＳ極になるように着磁されており、いずれか一方の極に前記第２の挾持部材３２の後面３２ｂが当接するように支持用溝４１に配設されている。
【００３８】
締付けボルト３５によって締結された前記第１、第２の挾持部材３１，３２は、左右の被支持部３４，３７が支持部材３３の各支持部３３Ｂの支持用溝４１に、被支持部３７が被支持部３４より奥側になるように嵌挿されることにより支持部材３３によって支持される。また、第１、第２の挾持部材３１，３２は、第２の挾持部材３２の左右の被支持部３７が永久磁石４５の磁束によって吸引されることにより、支持用溝４１内に固定され、支持用溝４１からの脱落が防止される。
【００３９】
第１、第２の挾持部材３１，３２を支持部材３３から取り外すときは、第１、第２の挾持部材３１，３２を把持して支持用溝４１から永久磁石４５の吸引力に抗して引き出せばよい。
【００４０】
前記第２のストレイナー２２は、スナッピー７の固定端７Ｂ側に取付けられている連結部材１３Ｂを挟持する第１、第２の挾持部材５１，５２と、胴本体２の外周面に固定された固定ベース５３と、この固定ベース５３の前面下端部に固定され前記第１、第２の挾持部材５１，５２の両端部を支持する支持部材５４と、この支持部材５４に設けられ前記第１、第２の挾持部材５１，５２を支持部材５４に固定する永久磁石５５とで構成されている。
【００４１】
前記第１、第２の挾持部材５１，５２は、前記第１のストレイナー２１の第１、第２の挾持部材３１，３２と全く同一に形成されており、２本の締付けボルト５６によって締結すれることにより連結部材１３Ｂの端部を挟持する。
【００４２】
前記固定ベース５３は、第１のストレイナー２１の固定ベース１５と外観が略同一形状で胴本体２の外周に複数本のボルト５７によって固定されてはいるが、前述した移動ベース１６、スイッチ機構１７、切替レバー１７Ａおよび張力調節用ねじ１８が取付けられていない点で異なっている。
【００４３】
前記支持部材５４は、前記第１のストレイナー２１の支持部材３３と同一形状であるため、その説明を省略する。また、永久磁石５５も第１のストレイナー２１の永久磁石４５と同一である。
【００４４】
締付けボルト５６によって締結された前記第１、第２の挾持部材５１，５２は、両端に突設した被支持部６０，６１が支持部材５４の各支持部５５Ｂの支持用溝６３に、被支持部６１が被支持部６０より奥側になるように嵌挿されることにより支持部材５４によって支持される。また、第１、第２の挾持部材５１，５２は、第２の挾持部材５２の被挾持部６１が永久磁石５５の磁束によって吸引されることにより、支持用溝６３内に固定され支持用溝６３からの脱落が防止される。
【００４５】
第１、第２の挾持部材５１，５２を支持部材５４から取り外すときは、第１、第２の挾持部材５１，５２を把持して支持用溝６３から永久磁石５５の吸引力に抗して引き出せばよい。
【００４６】
このように、本実施の形態においては、第１のストレイナー２１の第１、第２の挾持部材３１，３２を支持部材３３の支持部３３Ｂによって支持し、永久磁石４５の磁気吸引力によって支持部材３３に固定し、また同様に第２のストレイナー２２の第１、第２の挾持部材５１，５２を支持部材５４の支持部５４Ｂによって支持し、永久磁石５５の磁気吸引力によって支持部材５４に固定するようにしたので、ボルトを用いて固定する必要がなく、第１、第２の挾持部材３１と３２、５１と５２を支持部材３３，５４に対して工具等を用いることなくワンタッチで取付けたり、取り外したりすることができる。したがって、スナッピー７や裏面側ドラムヘッド３の交換作業を容易かつ迅速に行なうことができ、ストレイナー装置２０の取扱性を向上させることができる。
【００４７】
また、裏面側ドラムヘッド３を他のドラムヘッドと交換する際、第１、第２の挾持部材３１と３２、５１と５２を支持部材３３，５４から外すだけで、ボルト３５，５６を緩めて連結部材１３Ａ，１３Ｂの挾持状態を解除する必要がないので、ドラムヘッド３の交換後にスナッピー７を再装着したとき、響線１１の張力を再調節する必要もない。
【００４８】
さらに、本発明においては、連結部材１３Ａ，１３Ｂの各端部ｂ、ｃを第１、第２の挾持部材３１と３２、５１と５２の上方から下方に導くようにしているので、ストレイナー装置２０を操作したりするとき、端部ｂ，ｃが手に当たったりして邪魔になることがない。
【００４９】
さらにまた、第２の挾持部材３２，５２の背面側を円弧面に形成して連結部材１３Ａ、１３Ｂを添接しているので、連結部材１３Ａ，１３Ｂに加わる力が分散されて連結部材１３Ａ，１３Ｂの断線を防止することができる。
【００５０】
図３は本発明の第２の実施の形態を示す第１のストレイナーの要部の分解斜視図、図４は同第１のストレイナーの断面図である。
これらの図において、本実施の形態は、連結部材１３Ａの端部を挟持する第１、第２の挾持部材７０，７１を支持部材７２に固定する固定部材として、上記した永久磁石４５の代わりに弾性変形自在な係合片７３を用いたものである。
【００５１】
第１の挾持部材７０は、上面中央に前記係合片７３の爪部７３ａが係合する突起部７４が一体に突設され、両端に突起状の被支持部が設けられていない点で、図１および図２に示した第１の挾持部材３１，５１と異なっている。その他の構成は前記図１および図２に示す発明と全く同一である。第２の挾持部材７１は、アルミニウム等によって製作され、両端に突起状の被支持部が設けられていない点で上記した第２の挾持部材３２，５２と異なっている。その他の構成は前記図１および図２に示す発明と全く同一である。
【００５２】
前記支持部材７２は、第１、第２の挾持部材７０，７１を支持する一対の支持部７２Ｂ、７２Ｂを板状の基部７２Ａの下面中間部に一体に設けた点で、図１および図２に示した支持部材３３，５４と異なっており、その他の構造は略同一である。
【００５３】
前記係合片７３は、板状に形成されて基端にＴ字形の固定部７３ｂが一体に突設されている。この固定部７３ｂは、係合片７３より厚肉に形成されることにより十分な剛性を有し、前記支持部材７２の２つの支持部７２Ｂ，７２Ｂ間に掛け渡され、両面粘着テープ７６によって基部７２Ａの表面中央に固着されることにより、係合片７３を２つの支持部７２Ｂ，７２Ｂ間に位置させている。
【００５４】
第１、第２の挾持部材７０，７１は、支持部材７２の各支持部７２Ｂの支持用溝７８内に挿入されると、突起部７４が係合片７３の爪部７３ａを押し上げる。このため、係合片７３は上方に弾性変形する。そして、第１、第２の挾持部材７０，７１を支持用溝７８の最奥まで挿入すると、突起部７４が爪部７３ａの下を通過して押圧状態を解除する。このため、係合片７３は弾性復帰して爪部７３ａを突起部７４の前面に係合させ、これによって第１、第２の挾持部材７０，７１が支持部材７３に固定され、支持用溝７８からの脱落が防止される。なお、第１、第２の挾持部材７０，７１を支持部材７２から取り外す際には、爪部７３ａに指を掛けて押し上げ係合片７３を上方に弾性変形させることにより、爪部７３ａと係合突起７４の係合状態を解除する。そして、この状態で第１、第２の挾持部材７０，７１を支持部材７２の支持用溝７８から引き出せばよい。
【００５５】
このように本実施の形態においては、第１、第２の挾持部材７０，７１を支持部材７２の支持用溝７８内に挿入し、係合片７３によって固定するようにしているので、ボルトによって固定する必要がなく、上記した実施の形態と同様に、第１、第２の挾持部材７０，７１を支持部材７２に対してワンタッチで取付けたり、取り外したりするができる。
【００５６】
また、永久磁石を用いていないので、第２の挾持部材７１を磁性材料で製作する必要がなく、材質の選択の自由度を高めることができる。
【００５７】
なお、本実施の形態においては、スナッピーの可動側端が連結される第１のストレイナーに適用した例を示したが、上記した実施の形態と同様に、スナッピーの固定側端が連結される第２のストレイナーにも適用することができることは明らかであろう。
【００５８】
また、本発明は上記した実施の形態に何ら特定されるものではなく、種々の変形、変更が可能である。例えば、支持部材３３（支持部材５４も同様）に対する永久磁石４５の取付位置は、支持用溝４１の奥壁に限らず溝の上壁または下壁であってもよく、また第２の挾持部材３２の代わりに第１の挾持部材３１を吸着したり、あるいはまた第１、第２の挾持部材３１，３２の双方を吸引固定するようにしてもよい。その場合は、第１の挾持部材３１または第１、第２の挾持体３１，３２を磁性材料で形成すればよい。
【００５９】
また、永久磁石４５を第１、第２の挾持部材３１，３２のうちの少なくともいずれか一方に取付け、支持部材３３を磁性材料で製作したり、あるいはまた第１、第２の挾持部材３１，３２のうちのいずれか一方を永久磁石で構成し、支持部材３３を磁性材料で製作したり、第１、第２の挾持部材３１，３２のうちのいずれか一方を磁性材料で製作し、支持部材３３を永久磁石で構成してもよい。
【００６０】
また、上記した実施の形態においては、永久磁石４５，５５と、係合片７３を用いた例を示したが、本発明はこれらに何ら限定されるものではなく、請求項５に示すように係合凹部と係合突部の係合によって一対の挾持部材３１と３２（５１と５２、７０と７１）を支持部材３３（５４，７２）に対して着脱可能に固定するようにしてもよい。係合凹部としては、支持部材３３，５４，７２の支持用溝４１，６３，７８を係合凹部として用い、係合突部としては、挾持部材３１，３２の被支持部３４，３７や、挾持部材７０，７１の端部を係合突部として用いればよい。また、係合凹部を挾持部材に設け、係合突部を支持部材に設けてもよい。
【００６１】
また、支持部材３３，５４は、別個に製作されるものに限らず、移動ベース１６や固定ベース１５，５３と一体に製作されるものであってもよい。
【００６２】
さらに、上記した実施の形態においては、スナッピー７の各端部に設けられる可撓性の連結部材１３Ａ，１３Ｂとして紐またはワイヤを用いた例について説明したが、本発明はこれに何ら限定されるものではなくベルトを用いてもよい。
さらにまた、ストレイナー装置は、第１、第２のストレイナーがスナッピー７の各端部をドラムヘッドに対して接触離間させる機構を備えたものであってもよい。
【図面の簡単な説明】
【００６３】
【図１】本発明に係るストレイナー装置の第１の実施の形態を示す断面図である。
【図２】第１のストレイナーの分解斜視図である。
【図３】本発明の第２の実施の形態を示す第１のストレイナーの要部の分解斜視図である。
【図４】同第１のストレイナーの断面図である。
【図５】裏面側のドラムヘッドに対してスナッピーを装着した従来のスネアードラムを示す外観斜視図である。
【図６】スナッピーのストレイナーに対する取付構造を示す分解斜視図である。
【符号の説明】
【００６４】
１…スネアドラム、２…胴本体、３…裏面側ドラムヘッド、７…スナッピー、１１…響線、１５…固定ベース、１６…移動ベース、２１…第１のストレイナー、２２…第２のストレイナー、１２Ａ，１２Ｂ…スナッピープレート、１３Ａ，１３Ｂ…連結部材、１７Ａ…切替レバー、１８…張力調節用ねじ、３１…第１の挾持部材、３２…第２の挾持部材、３３…支持部材、３３Ｂ…支持部、４５…永久磁石、５１…第１の挾持部材、５２…第２の挾持部材、５３…固定ベース、５４…支持部材、５５…永久磁石、７０…第１の挟持部材、７１…第２の挾持部材、７２…支持部材、７３…係合片。
【図１】
2008129070.tif 000003
【図２】
2008129070.tif 000004
【図３】
2008129070.tif 000005
【図４】
2008129070.tif 000006
【図５】
2008129070.tif 000007
【図６】
2008129070.tif 000008